(57)【特許請求の範囲】
【請求項１】
原稿を搬送するための原稿搬送経路と、
前記原稿の第１面を読み取るための第１の読取部と、
前記原稿の第２面を読み取るための縮小光学系の第２の読取部と、
前記第２の読取部を保持するフレームと、
前記フレームを、原稿を読み取るときの使用位置と前記第２の読取部の読取部分が露出する露出位置との間で回動させる開閉機構と、
前記フレームを前記使用位置へ回動させるときに前記フレームに接触し、前記フレームが前記使用位置にあるときに前記フレームから離間するブレーキ部材と、
を備えることを特徴とする原稿読取装置。
【請求項２】
請求項１に記載の原稿読取装置であって、
前記フレームの端部から突出する細長い接触部を有し、
前記ブレーキ部材は該接触部に接触するように配置されることを特徴とする原稿読取装置。
【請求項３】
請求項２に記載の原稿読取装置であって、
前記接触部は、前記フレームの回動ストロークのうち前記使用位置側の端部を含む一部のストロークにおいて、前記ブレーキ部材から離間することを特徴とする原稿読取装置。
【請求項４】
請求項２又は３に記載の原稿読取装置であって、
前記接触部は、前記フレームの回動ストロークのうち前記露出位置側の端部を含む一部のストロークにおいて、前記ブレーキ部材から離間することを特徴とする原稿読取装置。
【請求項５】
請求項１から４までの何れか一項に記載の原稿読取装置であって、
前記ブレーキ部材がローラ形状であることを特徴とする原稿読取装置。
【請求項６】
請求項１から５までの何れか一項に記載の原稿読取装置であって、
前記第２の読取部に対向配置される読取ローラを備え、
前記ブレーキ部材は前記読取ローラと同軸状に配置されることを特徴とする原稿読取装置。
【請求項７】
請求項１から６までの何れか一項に記載の原稿読取装置であって、
前記ブレーキ部材が弾性部材によって形成されることを特徴とする原稿読取装置。
【請求項８】
請求項５から７までの何れか一項に記載の原稿読取装置であって、
前記ブレーキ部材に接続されるワンウェイクラッチを備え、
前記ワンウェイクラッチは、前記フレームが前記使用位置から前記露出位置へ回動するときの前記ブレーキ部材の回転を許容し、それと逆方向の前記ブレーキ部材の回転を阻止することを特徴とする原稿読取装置。
【発明の詳細な説明】
【技術分野】
【０００１】
本発明は原稿読取装置に関するものであり、詳細には、両面読取機能を備えた原稿読取装置に関するものである。
【背景技術】
【０００２】
従来から、表面を読み取るための読取部と、裏面を読み取るための読取部と、を備え、原稿の両面を一度に読み取ることができる両面読取機能を備えた原稿読取装置が知られている。このような原稿読取装置において、第１の読取部がＣＣＤ等のイメージセンサを用いる縮小光学系で構成され、第２の読取部についてもＣＣＤ等の縮小光学系で構成されることがある。
【０００３】
第１の読取部及び第２の読取部がともに縮小光学系で構成される原稿読取装置を開示したものとして特許文献１がある。特許文献１が開示する原稿読取装置は、原稿を原稿搬送路に沿って搬送する原稿送り手段と、搬送されてきた原稿の第１面の画像を読み取る第１画像読取手段と、搬送されてきた原稿の第２面の画像を読み取る第２画像読取手段とを備える。第１および第２画像読取手段は、光源、ミラー、レンズおよびイメージセンサから構成される縮小光学系の画像読取手段である。そしてこの構成で、第２画像読取手段は光源、ミラー、レンズおよびイメージセンサが１つの集合体をなすようにユニット化され、原稿送り手段に対して１つのユニットとして着脱可能に装着される。
【特許文献１】特開２００６−２５３９１４号公報
【発明の開示】
【発明が解決しようとする課題】
【０００４】
原稿読取装置に原稿を読み取らせる際に、原稿が自動原稿搬送装置の内部で詰まることがあり、この場合、そのジャム原稿を取り除く必要がある。また、搬送した原稿の紙粉及び埃等のゴミが読取部の読取部分に付着することによって適切な読み取りが行われなくなることを防止するため、定期的に内部を清掃する必要もある。
【０００５】
この点、特許文献１のような両面読取型の画像読取装置は、第２画像読取手段が邪魔になって、ジャム原稿の除去及び清掃が困難になることが多い。なお、特許文献１の構成では第２画像読取手段を原稿搬送装置からユニットごと取り外すことが可能であるが、ビスを取り外す等の作業が必要であり、メンテナンスの効率性の観点から改善の余地があった。
【０００６】
ここで、上記の課題を解決する１つの方法として、自動原稿搬送装置に開閉機構を備えることが考えられる。例えば、第２の読取部をフレーム等の保持部材によって保持し、そのフレームを回動できるように構成する。この構成によれば、開閉機構によって読取部全体をフレームとともに開いた状態にすることで装置の内部にアクセスでき、詰まった原稿の除去及び清掃を容易に行うことができる。
【０００７】
しかしながら、このような開閉機構を備えた原稿読取装置の場合、メンテナンスは容易になるものの、メンテナンス後に読取部を元の位置に戻すときにユーザが強い勢いでフレームを閉じることが考えられる。また、フレームを上側に開いてメンテナンスする構成の場合、メンテナンスが終了してフレームを閉じるときに、フレームは重力によって下方への勢いを更に増加させることになる。
【０００８】
フレームが勢い良く戻されて本体側に衝突すれば、当該フレームに取り付けられた読取部に大きな衝撃が発生する。この衝撃によって、読取部を構成するミラー及びＣＣＤ等が通常の位置からズレて、読み取りが適切にできなくなるおそれがある。なお、保持部材を閉じるときの衝撃を防止するためにダンパー等を備えることも考えられるが、ダンパーの設置にはコストが掛かる。
【０００９】
本発明は以上の事情に鑑みてなされたものであり、その目的は、読取部の周辺を容易にメンテナンスできるとともに、読取部への衝撃を防ぐ原稿読取装置を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の原稿読取装置が提供される。即ち、この原稿読取装置は、原稿を搬送するための原稿搬送経路と、前記原稿の第１面を読み取るための第１の読取部と、前記原稿の第２面を読み取るための縮小光学系の第２の読取部と、を備える。また、原稿読取装置は、フレームと、開閉機構と、ブレーキ部材と、を備える。前記フレームは、前記第２の読取部を保持する。前記開閉機構は、前記フレームを、原稿を読み取るときの使用位置と前記第２の読取部の読取部分が露出する露出位置との間で回動させる。前記ブレーキ部材は、前記フレームを前記使用位置へ回動させるときに、前記フレームに接触し、前記フレームが前記使用位置にあるときに前記フレームから離間する。
【００１２】
なお、本明細書において「フレームに接触」とは、ブレーキ部材がフレームに直接接触する場合のほか、フレームに固定された別部品にブレーキ部材が接触する場合も含む。
【００１３】
これにより、フレームを露出位置から使用位置まで勢い良く回動させた場合でも、ブレーキ部材がフレームに接触して摩擦抵抗が働くので、回動の勢いを弱めることができる。従って、フレームが使用位置に到達したときに発生する衝撃を緩衝できるので、第２の読取部の縮小光学系を構成する部品がズレて読取が正確にできなくなるのを防ぎ、保守性が向上する。また、ブレーキ部材を配置するシンプルな構成であるのでコストを削減できる。また、フレームが使用位置にあるときはブレーキ部材から離間するため、フレームを使用位置に位置決めする際に摩擦力が発生しないので、位置決めを円滑に行うことができる。従って、第２の読取部による読取位置を所定の位置に正確に合わせることができ、読取りを適切に行うことができる。
【００１４】
前記の原稿読取装置においては、以下の構成であることが好ましい。即ち、原稿読取装置は、前記フレームの端部から突出する細長い接触部を有する。そして、前記ブレーキ部材は該接触部に接触するように配置される。
【００１５】
これにより、衝撃の緩衝のための構成をコンパクトなスペースに配置できる。また、接触部の輪郭を適宜設定することで、フレームの回動時に発生する摩擦力を容易に制御できる。
【００１８】
前記の原稿読取装置においては、前記接触部は、前記フレームの回動ストロークのうち前記使用位置側の端部を含む一部のストロークにおいて、前記ブレーキ部材から離間するように構成されることが好ましい。
【００１９】
これにより、フレームを使用位置から回動し始めるときにブレーキ部材による摩擦抵抗が働かないので、ユーザがフレームを使用位置から回動するときに感じる引っ掛かり感を防止できる。従って、フレームをスムーズに露出位置へ回動させることができる。
【００２０】
前記の原稿読取装置においては、前記接触部は、前記フレームの回動ストロークのうち前記露出位置側の端部を含む一部のストロークにおいて、前記ブレーキ部材から離間することが好ましい。
【００２１】
これにより、フレームを露出位置から回動し始めるときにブレーキ部材による摩擦抵抗が働かないので、ユーザがフレームを露出位置から回動するときに感じる引っ掛かり感を防止できる。従って、フレームをスムーズに使用位置へ回動させることができる。
【００２２】
前記の原稿読取装置においては、前記ブレーキ部材がローラ形状であることが好ましい。
【００２３】
これにより、ブレーキ部材のフレームに対する接触し始めから緩やかに摩擦力を増大させることができる。従って、フレームの回動がスムーズになるとともに、衝撃の発生をより抑えることができる。
【００２４】
前記の原稿読取装置においては、以下の構成であることが好ましい。即ち、原稿読取装置は、前記第２の読取部に対向配置される読取ローラを備える。そして、前記ブレーキ部材は前記読取ローラと同軸状に配置される。
【００２５】
これにより、読取ローラとブレーキ部材とをコンパクトなスペースに配置できる。従って、原稿読取装置の小型化を実現できる。
【００２６】
前記の原稿読取装置においては、前記ブレーキ部材が弾性部材によって形成されることが好ましい。
【００２７】
これにより、ブレーキ部材が備える弾性によって衝撃をより効果的に緩和することができる。
【００２８】
前記の原稿読取装置においては、以下の構成であることが好ましい。即ち、この原稿読取装置は、前記ブレーキ部材に接続されるワンウェイクラッチを備える。前記ワンウェイクラッチは、前記フレームが前記使用位置から前記露出位置へ回動するときの前記ブレーキ部材の回転を許容し、それと逆方向の前記ブレーキ部材の回転を阻止する。
【００２９】
これにより、使用位置から露出位置にフレームを回動させる場合には、ブレーキ部材がフレームの回動に従って回転するので、フレームをスムーズに開けることができる。また、露出位置から使用位置へフレームを回動する場合には、ブレーキ部材はワンウェイクラッチによって回転がロックされるのでフレームに対して摩擦抵抗が働く。従って、効率的に開閉作業を行うことができるとともに、回動によって発生する衝撃を防ぐことができる。
【発明を実施するための最良の形態】
【００３０】
以下、本発明の好適な実施形態について図面を参照しながら説明する。図１は本発明の一実施形態に係る原稿読取装置としてのイメージスキャナ装置１０を含む、コピーファクシミリ複合機（複合機）２０の外観斜視図である。図１に示すように、コピーファクシミリ複合機２０は、ブックスキャナ及びオートドキュメントフィードスキャナとして機能するイメージスキャナ装置１０を備える。また、コピーファクシミリ複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００３１】
次に図２を参照して、前記複合機２０が備えるイメージスキャナ装置１０について説明する。図２はイメージスキャナ装置１０の正面断面図である。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るためのスキャナユニット（第１の読取部）５０及び第２スキャナユニット（第２の読取部）６０を備えている。
【００３２】
このイメージスキャナ装置１０をオートドキュメントフィードスキャナとして使用する場合は、前記ＡＤＦ２５によって原稿を１枚ずつ搬送する。そして、原稿の表側の面（第１面）の画像はスキャナユニット５０によって読み取られ、裏側の面（第２面）の画像は第２スキャナユニット６０によって読み取られる。
【００３３】
一方、イメージスキャナ装置１０をブックスキャナとして使用する場合は、読み取るべきブック原稿をユーザがプラテンガラス２２上に載置して、その上から原稿台カバー２１によって押圧して、ブック原稿が動かないように固定する。この状態で、スキャナユニット５０によって原稿の画像を読み取ることができるようになっている。
【００３４】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００３５】
図２に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図２において省略されている操作パネル７７によって行うことができる。
【００３６】
次に、原稿搬送経路３０に沿って、ＡＤＦ２５の各部の詳細な構成を説明する。
【００３７】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら回転することで、原稿を１枚ずつ分離し、更に下流側へ搬送する。
【００３８】
分離ローラ３２の下流側には、レジストローラ３９とこのレジストローラ３９と対になる対向ローラとが配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００３９】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００４０】
２つの搬送ローラ３４，３５の間には第１原稿読取位置８０が設定されており、この第１原稿読取位置８０を通過する原稿は、以下に説明するスキャナユニット５０によって走査され、読み取られる。なお、この第１原稿読取位置８０にはプラテンローラ２９が配置されている。
【００４１】
スキャナユニット５０を説明する。このスキャナユニット５０は本体７８側に設置されるとともに、ＡＤＦ２５及びプラテンガラス２２の下方に配置されている。また、このスキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００４２】
スキャナユニット５０の光源５１及び反射ミラー５２等は移動可能に構成されている。前述したようにイメージスキャナ装置１０をブックスキャナとして使用する場合は、スキャナユニット５０の光源５１及び反射ミラー５２等をプラテンガラス２２に沿って移動させる。これによって、プラテンガラス２２上に載置された原稿を走査できるようになっている。
【００４３】
一方、イメージスキャナ装置１０をオートドキュメントフィードスキャナとして使用する場合（ＡＤＦ２５を用いて原稿を読み取る場合）は、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、スキャナユニット５０が走査して読み取ることができる。
【００４４】
スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４５】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００４６】
第２スキャナユニット６０は、湾曲状に構成された原稿搬送経路３０に接するように、当該原稿搬送経路３０の内側に設置されている。また、ＡＤＦ２５は裏面スキャナフレーム１２を備え、この裏面スキャナフレーム１２によって前記第２スキャナユニット６０がＡＤＦ２５内で保持されている。裏面スキャナフレーム１２は第２スキャナユニット６０を覆うように構成されており、その底部（原稿搬送経路３０に接する部分）には、原稿の裏面を読み取るための読取ガラス４２が備えられる。この読取ガラス４２は、前記第２原稿読取位置９０に対応する位置に配置される。
【００４７】
裏面スキャナフレーム１２内は密閉状態となっており、この内部に第２スキャナユニット６０の構成部品が配置される。この第２スキャナユニット６０は前記スキャナユニット５０と同様に、光源６１と、反射ミラー６２，６３，６４，６５と、集光レンズ６７と、電荷結合素子（ＣＣＤ）５７と、を備えている。前記光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、スキャナユニット５０におけるＣＣＤ５６と同様に、原稿の画像情報に応じた電気信号を出力する。この信号も適宜変換処理され、複合機２０が備える画像形成部に送信される。
【００４８】
また、裏面スキャナフレーム１２の前記第２原稿読取位置９０に対向するように、プラテンローラ（読取ローラ）３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４９】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００５０】
次に図３及び図４を参照して、裏面スキャナフレーム１２の開閉のための構成について説明する。図３は、カバー部１１が開いた状態でのＡＤＦ２５の断面図である。図４は、裏面スキャナフレーム１２が開いた状態を示す断面斜視図である。
【００５１】
前記ＡＤＦ２５は、ＡＤＦ本体部１６と、その上側を覆うカバー部１１とを備えている。このカバー部１１は、カバー回動軸４０を介してＡＤＦ本体部１６に支持されている。また、ＡＤＦ２５に備えられる前記裏面スキャナフレーム１２は、当該裏面スキャナフレーム１２を回動させるための裏面スキャナ回動軸４１を、前記レジストローラ３９と同軸状に備えている。この裏面スキャナ回動軸４１により、裏面スキャナフレーム１２を開閉するためのヒンジ機構（開閉機構）が構成されている。
【００５２】
以上の構成で、メンテナンス等を行うには、最初に、カバー部１１を持ち上げるように上方向に回動させることで、図３に示すようにカバー部１１を開いた状態とする。次に、閉じた位置（使用位置）にある裏面スキャナフレーム１２を持ち上げるように上方向に回動させる。以上により、図３の鎖線あるいは図４で示すように、裏面スキャナフレーム１２を上側に引き出して開いた位置（露出位置）とし、読取ガラス４２等を露出させることができる。このように第２スキャナユニット６０の全体を回動させることで、原稿搬送経路３０を広く露出させることができ、メンテナンス等のための作業空間を広く確保することができている。
【００５３】
図４に示すように、前記プラテンローラ３８の装置背面側（図４において右側）の軸端部にはブレーキ部材１４が備えられる。ブレーキ部材１４は円柱状に形成されており、その径はプラテンローラ３８の径より大きくなるように構成される。また、ブレーキ部材１４は、裏面スキャナフレーム１２の本体よりも幅方向で若干外側に配置されている。なお、ブレーキ部材１４はウレタンゴムによって形成された弾性部材として構成されており、本実施形態においてはプラテンローラ３８と一体的に成形されている。
【００５４】
また、裏面スキャナフレーム１２は、このブレーキ部材１４に近づく向きに突出する接触部１３を備える。この接触部１３は、図３等に示すように、裏面スキャナフレーム１２の第１原稿読取位置８０側の端部から第２原稿読取位置９０の近傍にかけて、裏面スキャナフレーム１２の下縁に沿う円弧状に細長く形成されている。なお、本実施形態において接触部１３は裏面スキャナフレーム１２と一体成形されている。
【００５５】
次に図５、図６及び図７を参照して、裏面スキャナフレーム１２を図４の露出位置から使用位置へ回動させる操作について説明する。図５は、裏面スキャナフレーム１２が開いた露出状態での接触部１３とブレーキ部材１４の配置関係を示す要部断面図である。図６は、接触部１３とブレーキ部材１４が接触した様子を示す要部断面図である。図７は第２原稿読取位置９０近傍での接触部１３とブレーキ部材１４の配置関係を示した要部断面図である。
【００５６】
裏面スキャナフレーム１２を前記露出位置としたときは、図５に示すように、接触部１３とブレーキ部材１４が接触せずに離間した状態にある。この状態で、ユーザは、例えば読取ガラス４２を清掃するメンテナンス等を行う。この作業の終了後、図２等に示す使用位置に戻すために、ユーザは裏面スキャナフレーム１２を手で押し下げる。裏面スキャナフレーム１２は、前述の裏面スキャナ回動軸４１を中心に下方向に回動する。
【００５７】
裏面スキャナフレーム１２が下方向に回動していくと、図６に示すように、やがて接触部１３がブレーキ部材１４に接触する。ブレーキ部材１４は前述のようにプラテンローラ３８と一体的に回転するように設けられており、ＡＤＦ２５を駆動していないときは、ブレーキ部材１４（及びプラテンローラ３８）は図略のロック機構によって回転しないようロックされる。そのため、接触部１３とブレーキ部材１４との接触部分において、裏面スキャナフレーム１２の回動に抗する摩擦抵抗力が生じる。
【００５８】
この摩擦力により、裏面スキャナフレーム１２が閉じられる勢いを弱めることができる。即ち、例えばメンテナンス作業後にユーザが乱暴に裏面スキャナフレーム１２を閉じたような場合等、強い勢いで裏面スキャナフレーム１２が回動する場合がある。特に、図３に示すように使用位置が露出位置よりも低くなっている構成では、裏面スキャナフレーム１２を露出位置から使用位置へ回動させる場合、裏面スキャナフレーム１２及び第２スキャナユニット６０に作用する重力によって回動の勢いは強くなる。しかしながら、本実施形態の構成では、このような場合でもブレーキ部材１４が接触部１３に接触して摩擦抵抗が働くので、裏面スキャナフレーム１２の回動速度を減少させることができる。
【００５９】
裏面スキャナフレーム１２が下方向に更に回動し、使用位置の直前まで到達することで、図７に示すように接触部１３がブレーキ部材１４から離間し、ブレーキ部材１４による摩擦抵抗が解除される。その後、裏面スキャナフレーム１２が図略のストッパに接触することで、第２スキャナユニット６０が所定の位置に位置決めされる。この結果、裏面スキャナフレーム１２が使用位置に戻る。なお、裏面スキャナフレーム１２の勢いは前記摩擦抵抗力によって弱められているので、裏面スキャナフレーム１２と前記ストッパの接触時において大きな衝撃は発生しない。
【００６０】
その後、更にカバー部１１を閉じることで、ＡＤＦ２５を再び使用できる状態になる。なお、裏面スキャナフレーム１２が前記使用位置にあるときは接触部１３はブレーキ部材１４から離間しているので、ブレーキ部材１４と一体成形されたプラテンローラ３８は自由に回転し、原稿を搬送することができる。
【００６１】
以上に示すように、本実施形態の複合機２０が備えるイメージスキャナ装置（原稿読取装置）１０は以下のように構成される。即ち、このイメージスキャナ装置１０は、原稿を搬送するための原稿搬送経路３０と、原稿の表面（第１面）を読み取るためのスキャナユニット５０と、原稿の裏面（第２面）を読み取るための第２スキャナユニット６０と、を備える。第２スキャナユニット６０は、光源６１、反射ミラー６２，６３，６４，６５、集光レンズ６７及びＣＣＤ５７で構成される縮小光学系によって画像情報を読み取るように構成されている。また、イメージスキャナ装置１０は、第２スキャナユニット６０を保持する裏面スキャナフレーム１２を備えるとともに、裏面スキャナフレーム１２の開閉機構と、ブレーキ部材１４と、を備える。開閉機構は、裏面スキャナフレーム１２を、原稿を読み取るときの使用位置（図３の実線の位置）と第２スキャナユニット６０の読取部分が露出する露出位置（図３の鎖線の位置）との間で回動させる。前記ブレーキ部材１４は、裏面スキャナフレーム１２を使用位置へ回動させるときに、裏面スキャナフレーム１２に接触するように配置される。
【００６２】
この構成により、裏面スキャナフレーム１２を露出位置から使用位置まで勢いよく回動させた場合でも、ブレーキ部材１４が裏面スキャナフレーム１２に図６に示すように接触して摩擦抵抗が働くので、回動の勢いを弱めることができる。従って、裏面スキャナフレーム１２が使用位置に到達したときに発生する衝撃を緩衝することができる。これにより、第２スキャナユニット６０を構成する反射ミラー６２，６３，６４，６５及びＣＣＤ５７がズレて読取が正確にできなくなる状態を防ぐことができ、保守性が向上する。また、ブレーキ部材１４を備えるシンプルな構成であるのでコストを削減できる。
【００６３】
また、本実施形態において、前記イメージスキャナ装置１０は、裏面スキャナフレーム１２の端部から突出する細長い接触部１３を有する。そして、ブレーキ部材１４は該接触部１３に接触するように配置される。
【００６４】
この構成により、衝撃の緩衝のための構成をコンパクトなスペースに配置できる。また、接触部１３の輪郭を適宜設定することで、裏面スキャナフレーム１２の回動時に発生する摩擦力の強さ、摩擦力の発生する回動ストローク区間等を容易に制御できる。
【００６５】
また、本実施形態において、接触部１３は、裏面スキャナフレーム１２が使用位置にあるときはブレーキ部材１４から離間するように構成される。
【００６６】
この構成により、裏面スキャナフレーム１２を閉じたときにブレーキ部材１４が接触しないので、裏面スキャナフレーム１２を使用位置に確実に位置決めすることができる。従って、第２スキャナユニット６０による読取位置を所定の位置に正確に合わせることができ、読取りを適切に行うことができる。
【００６７】
また、本実施形態において、接触部１３は、裏面スキャナフレーム１２における回動ストロークのうち使用位置側の端部を含む一部のストロークにおいて、図７のようにブレーキ部材１４から離間するように構成される。
【００６８】
この構成により、使用位置にある裏面スキャナフレーム１２をメンテナンス等のために開き始めた時点において摩擦抵抗が働かないので、ユーザは無用な引っ掛かり感を感じることなく、裏面スキャナフレーム１２をスムーズに露出位置へ回動させることができる。
【００６９】
また、本実施形態において、接触部１３は、裏面スキャナフレーム１２の回動ストロークのうち露出位置側の端部を含む一部のストロークにおいて、図５のようにブレーキ部材１４から離間するように構成される。
【００７０】
この構成により、図５に示すように、露出位置にある裏面スキャナフレーム１２をユーザが閉じ始めた時点においてブレーキ部材１４による摩擦抵抗が働かないので、ユーザは無用な引っ掛かり感を感じることなく、裏面スキャナフレーム１２をスムーズに使用位置へ回動させることができる。
【００７１】
また、本実施形態において、前記ブレーキ部材１４はローラ形状に構成される。
【００７２】
このようにブレーキ部材１４がローラ形状であることにより、裏面スキャナフレーム１２の接触部１３に対する接触を円滑に開始することができる。従って、摩擦抵抗力を緩やかに増大させることができるので、裏面スキャナフレーム１２の回動がスムーズになるとともに、衝撃の発生をより抑えることができる。
【００７３】
また、本実施形態のイメージスキャナ装置１０は、第２スキャナユニット６０に対向配置されるプラテンローラ３８を備える。そして、ブレーキ部材１４はプラテンローラ３８と同軸状に配置されている。
【００７４】
この構成により、プラテンローラ３８とブレーキ部材１４とをコンパクトなスペースに配置できる。従って、イメージスキャナ装置１０の小型化を実現できる。
【００７５】
また、本実施形態のイメージスキャナ装置１０は、ブレーキ部材１４が弾性部材であるウレタンゴムによって形成される。
【００７６】
この構成により、ブレーキ部材１４が備える弾性によって衝撃をより効果的に緩和することができる。
【００７７】
次に、前記ブレーキ部材１４にワンウェイクラッチを接続する変形例について、図８及び図９を参照して説明する。図８は、本変形例において裏面スキャナフレーム１２を下方向に回動させる様子を示す要部断面図である。図９は、裏面スキャナフレーム１２を上方向に回動する様子を示した要部断面図である。なお、この変形例は、ワンウェイクラッチ１５をブレーキ部材１４に接続した以外は同じ構成であるため、上記実施形態と同一及び類似する部材には、図面に同一の符号を付して説明を省略する。
【００７８】
図８に示す変形例において、ブレーキ部材１４はプラテンローラ３８と一体成形せず別部品とされ、このブレーキ部材１４はワンウェイクラッチ１５を介して、ＡＤＦ２５の前記本体部１６に取り付けられている。ブレーキ部材１４及びワンウェイクラッチ１５は、前記プラテンローラ３８と軸線が一致するように配置されている。
【００７９】
このワンウェイクラッチ１５は、ローラ状のブレーキ部材１４が図８に示すイメージスキャナ装置１０の正面方向から見て反時計回りに回転しようとするときは係合して当該回転をロック（阻止）する。また、ワンウェイクラッチ１５は、ブレーキ部材１４が時計回りに回転しようとするときは係合を解除して自由に回転させる。なお、ワンウェイクラッチ１５の構成については、ギアと逆回転防止用の爪を備える構成、カムを備える構成等、公知のものを適用できる。
【００８０】
図８に示すように、裏面スキャナフレーム１２が下方向に回動する場合には、裏面スキャナフレーム１２は接触部１３を介してブレーキ部材１４を反時計回りに回転させようとする。しかし、ワンウェイクラッチ１５が反時計回りの回転はロックするように構成されているため、ブレーキ部材１４は回転しない。従って、ブレーキ部材１４と接触部１３との間に、裏面スキャナフレーム１２の回動に抗する方向の摩擦力が発生する。この結果、裏面スキャナフレーム１２を露出位置から使用位置へ戻すときの衝撃を緩和できる。
【００８１】
一方、図９に示すように裏面スキャナフレーム１２が上方向に回動する場合には、裏面スキャナフレーム１２は接触部１３を介してブレーキ部材１４を時計回りに回転させようとする。ワンウェイクラッチ１５は時計回りの回転については回転をロックしないため、裏面スキャナフレーム１２の回動に従ってブレーキ部材１４は回転し、摩擦力は殆ど発生しない。従って、裏面スキャナフレーム１２を使用位置から露出位置へスムーズに回動させることができる。
【００８２】
以上に示すように、本変形例のイメージスキャナ装置１０は、ブレーキ部材１４に接続されるワンウェイクラッチ１５を備える。このワンウェイクラッチ１５は、裏面スキャナフレーム１２が使用位置から露出位置へ回動するときのブレーキ部材１４の回転を許容し、それと逆方向のブレーキ部材１４の回転を阻止する。
【００８３】
この構成により、使用位置から露出位置に裏面スキャナフレーム１２を回動させる場合にはブレーキ部材１４は裏面スキャナフレーム１２の回動に従って回転するので、裏面スキャナフレーム１２をスムーズに開けることができる。また、露出位置から使用位置へ裏面スキャナフレーム１２を回動する場合には、ブレーキ部材１４はワンウェイクラッチ１５によってブレーキ部材１４の回転がロックされるので裏面スキャナフレーム１２に対して摩擦抵抗が働く。従って、効率的に開閉作業を行うことができるとともに、回動によって発生する衝撃を防ぐことができる。
【００８４】
以上に本発明の好適な実施形態を説明したが、上記の構成は更に以下のように変更することができる。
【００８５】
上記実施形態では、ブレーキ部材１４はプラテンローラ３８の一側の端部にのみ備えられている構成であるが、この構成に代えて、ブレーキ部材１４をプラテンローラ３８の両端に取り付ける構成とすることもできる。また、ブレーキ部材をプラテンローラ３８から離れた位置に配置することもできる。
【００８６】
また上記実施形態ではブレーキ部材１４が接触部１３に接触して衝撃を吸収する構成であるが、この構成に代えて、ブレーキ部材が裏面スキャナフレームの底面に直接接触して裏面スキャナフレーム１２の回動の勢いを弱める構成とすることもできる。また、例えばブレーキ部材を裏面スキャナフレームの側面に接触するように配置する構成とできる。この構成によっても、裏面スキャナフレーム１２に加わる衝撃を防ぐことができる。
【００８７】
上記実施形態で一体的に形成されていたプラテンローラ３８とブレーキ部材１４とを、別の部品として構成することができる。またブレーキ部材１４は、上記実施形態のような円柱形状に限らず、扇形及び四角形とする等、事情に応じて適宜変更できる。
【００８８】
接触部１３は、前記裏面スキャナフレーム１２に一体形成することに代えて、別部品としての接触部を裏面スキャナフレームに固定する構成に変更することができる。
【００８９】
また上記実施形態では、ローラ状のブレーキ部材１４を裏面スキャナフレーム１２（接触部１３）に接触させ、その接触部において摩擦抵抗を発生させているが、この構成に代えて、ピニオンをブレーキ部材として採用することができる。この場合、裏面スキャナフレーム１２側に円弧状のラックを設置して前記ピニオンと噛合させ、ピニオンに摩擦板又はトルクリミッタ等を備えて回転に対する抵抗が発生するように構成することで、裏面スキャナフレーム１２の回動の勢いを弱めることができる。
【００９０】
前記コピーファクシミリ複合機２０に代えて、例えば、コピー機、ファクシミリ装置等にも、本発明のイメージスキャナ装置１０を適用することができる。
【図面の簡単な説明】
【００９１】
【図１】本発明の一実施形態に係るイメージスキャナ装置を含む複合機の様子を示した外観斜視図。
【図２】本実施形態のイメージスキャナ装置の構成を示した正面断面図。
【図３】カバーを開いた状態の自動原稿搬送装置を示す要部断面図。
【図４】裏面スキャナフレームが持ち上がった状態を示した断面斜視図。
【図５】裏面スキャナフレームが露出位置にあり、ブレーキ部材から接触部が離間している様子を示す要部断面図。
【図６】裏面スキャナフレームが露出位置から回動し、接触部とブレーキ部材とが接触した状態を示す要部断面図。
【図７】裏面スキャナフレームが図６の状態から更に回動して使用位置の直前となり、接触部がブレーキ部材から離間している様子を示す要部断面図。
【図８】変形例において、裏面スキャナフレームが露出位置から使用位置へ回動する様子を示す要部断面図。
【図９】変形例において、裏面スキャナフレームが使用位置から露出位置へ回動する様子を示す要部断面図。
【符号の説明】
【００９２】
１０  イメージスキャナ装置（原稿読取装置）
１１  カバー部
１２  裏面スキャナフレーム
１３  接触部
１４  ブレーキ部材
１５  ワンウェイクラッチ
２０  コピーファクシミリ複合機
２３  原稿トレイ
２４  排出トレイ
２５  自動原稿搬送装置（ＡＤＦ）
３０  原稿搬送経路
３１  ピックアップローラ
３２  分離ローラ
３３，３４，３５  搬送ローラ
３８  プラテンローラ（読取ローラ）
５０  スキャナユニット（第１の読取部）
５６，５７  電荷結合素子（ＣＣＤ）
６０  第２スキャナユニット（第２の読取部）
６１  光源
６２，６３，６４，６５  反射ミラー
６７  集光レンズ
【図１】
0004618518.tif 000002
【図２】
0004618518.tif 000003
【図３】
0004618518.tif 000004
【図４】
0004618518.tif 000005
【図５】
0004618518.tif 000006
【図６】
0004618518.tif 000007
【図７】
0004618518.tif 000008
【図８】
0004618518.tif 000009
【図９】
0004618518.tif 000010